(57)【要約】【課題】  良好に装置外部からの情報データを記録する。【解決手段】  情報データを入力する入力手段と、前記入力手段により入力された情報データをテープ状記録媒体上に記録する記録手段と、前記入力手段により前記情報データが入力されていない無入力状態となったことを検出する検出手段と、前記記録手段による前記入力手段より入力された情報データの記録中における前記検出手段の検出結果に応じて、前記無入力となる直前に入力された前記情報データに引き続いて、情報データの不連続を示す不連続情報を前記テープ状記録媒体上に記録するよう前記記録手段を制御する制御手段とを備える。【選択図】  図１
2007026502.tif 000002
【特許請求の範囲】
【請求項１】
情報データを入力する入力手段と、
前記入力手段により入力された情報データをテープ状記録媒体上に記録する記録手段と、
前記入力手段により前記情報データが入力されていない無入力状態となったことを検出する検出手段と、
前記記録手段による前記入力手段より入力された情報データの記録中における前記検出手段の検出結果に応じて、前記無入力となる直前に入力された前記情報データに引き続いて、情報データの不連続を示す不連続情報を前記テープ状記録媒体上に記録するよう前記記録手段を制御する制御手段とを備える記録装置。
【請求項２】
前記制御手段は、前記不連続情報を所定期間記録した後、前記入力手段により前記情報データが再び入力されるまで、無効データを記録するよう前記記録手段を制御することを特徴とする請求項１記載の記録装置。
【請求項３】
前記制御手段は、前記入力手段により前記情報データが再び入力されたことが前記検出手段により検出されたことに応じて、前記入力された情報データの記録を開始するよう前記記録手段を制御することを特徴とする請求項２記載の記録装置。
【請求項４】
前記制御手段は、前記不連続情報を所定期間記録した後、前記記録手段による記録動作を停止することを特徴とする請求項１記載の記録装置。
【請求項５】
前記制御手段は、前記記録手段による記録動作の停止後、前記入力手段により前記情報データが再び入力されたことが前記検出手段により検出されたことに応じて、前記入力された情報データの記録を開始するよう前記記録手段を制御することを特徴とする請求項４記載の記録装置。
【請求項６】
前記情報データは、フレーム内符号化とフレーム間予測符号化とを選択的に用いて符号化された動画像データであり、前記制御手段は、前記入力された動画像データのうち、前記フレーム内符号化データから記録を開始するよう前記記録手段を制御することを特徴とする請求項５記載の記録装置。
【請求項７】
フレーム内符号化とフレーム間符号化とを選択的に用いて符号化された動画像データを入力する入力手段と、
前記入力手段により入力された動画像データをテープ状記録媒体上に記録する記録手段と、
前記入力手段により前記動画像データが入力されていない無入力状態となったことを検出する検出手段と、
前記記録手段による前記入力手段より入力された動画像データの記録中における前記検出手段の検出結果に応じて、前記無入力となる直前に入力された前記動画像データに引き続いて、直前のフレームと同一の画面を再生画像として出力するためのコピーピクチャデータを前記テープ状記録媒体上に記録するよう前記記録手段を制御する制御手段とを備える記録装置。
【請求項８】
前記制御手段は、前記入力手段により前記動画像データが再び入力されたことが前記検出手段により検出されたことに応じて、前記入力された動画像データの記録を開始するよう前記記録手段を制御することを特徴とする請求項７記載の記録装置。
【請求項９】
前記動画像データはＭＰＥＧ方式で符号化されており、前記制御手段は、前記入力手段により前記動画像データが再び入力されたことが前記検出手段により検出されたことに応じて、前記入力された動画像データの記録開始フレームの復号時におけるバッファモデルを満足するよう、スタッフィングデータを記録することを特徴とする請求項８記載の記録装置。
【発明の詳細な説明】
【技術分野】
【０００１】
本発明は記録装置に関し、特に、外部より入力された情報データをテープ状記録媒体上に記録する装置に関する。
【背景技術】
【０００２】
従来、画像信号や音声信号をＭＰＥＧ方式などで符号化し、磁気テープに記録再生するデジタルＶＴＲが知られている（例えば、特許文献１参照）。
【０００３】
この種のデジタルＶＴＲにおいては、画像データを符号化したまま装置外部に送受信可能なデジタルインターフェイスを備え、２台のデジタルＶＴＲのデジタルＩ／Ｆを接続することで、一方のテープに記録したデータをもう一方のテープに記録する、デジタルダビング機能を実現するものも登場している。
【特許文献１】特開２００４−１５３８４
【発明の開示】
【発明が解決しようとする課題】
【０００４】
前述の様にデジタルダビングを行う場合、再生側のテープに記録されているデータがテープの傷などにより正しく再生できない場合や、テープ上で連続的に画像、音声データが記録されていなかった場合には、記録側のＶＴＲに対し、正しいデータが連続的に送信されず、無入力状態となることがある。
【０００５】
この様に無入力状態となっても、記録側のＶＴＲにおいては、そのまま記録を継続するため、再び正しいデータが送信されると、入力復帰後の画像、音声データから記録されることになる。
【０００６】
しかしながら、ＭＰＥＧ符号化においては、画像、音声データを符号化する際に、復号時にバッファメモリがアンダーフロー、オーバーフローしないように符号化している。
【０００７】
そのため、この様にデータの無入力状態を経て、画像、音声データが記録された場合、テープ上に記録されているＭＰＥＧデータは、無入力状態となる前と、復帰後では無関係なデータであるため、再生時にデコーダが良好に動作せず、再生画像が乱れることが考えられる。
【０００８】
また、無入力状態となっても記録側のＶＴＲにおいてはそのまま記録を継続するため、無駄にテープを使用してしまうことになる。
【０００９】
本発明はこの様な問題を解決し、ダビングを行う際に、良好に情報データを記録可能な装置を提供することを目的とする。
【課題を解決するための手段】
【００１０】
本発明の記録装置は、情報データを入力する入力手段と、前記入力手段により入力された情報データをテープ状記録媒体上に記録する記録手段と、前記入力手段により前記情報データが入力されていない無入力状態となったことを検出する検出手段と、前記記録手段による前記入力手段より入力された情報データの記録中における前記検出手段の検出結果に応じて、前記無入力となる直前に入力された前記情報データに引き続いて、情報データの不連続を示す不連続情報を前記テープ状記録媒体上に記録するよう前記記録手段を制御する制御手段とを備える。
【発明の効果】
【００１１】
本発明によれば、良好に装置外部からの情報データを記録可能となる。
【発明を実施するための最良の形態】
【００１２】
本発明の実施形態について説明する。
【００１３】
図１は、本発明の実施形態におけるデジタルＶＴＲ１００の構成を示す図である。
【００１４】
図１において、１０１は被写体を撮影して動画像データを出力する撮像部、１０２はマイク、１０３は動画像データと音声データをＭＰＥＧ２方式に従い符号化する符号化部、１０４は外部より入力されたＭＰＥＧ２−ＴＳデータをＭＰＥＧ２−ＰＳデータに変換する変換処理部、１０５はＤＩＦ１０６からのＭＰＥＧ２−ＴＳデータを蓄積するストリームバッファ、１０６は再生用のデジタルＶＴＲなど、外部の機器から送信されたＭＰＥＧ２−ＴＳデータを受信するデジタルＩ／Ｆ、１０７は各種の画像や情報を表示する表示部、１０８は装置各部を制御する制御部、１０９は電源スイッチや記録トリガスイッチなど、各種のスイッチを備えた操作部、１１０はサーチ再生用の画像データを生成するサーチデータ処理部、１１１は符号化部１０３で符号化されたＭＰＥＧデータ、または、変換処理部１０４により変換されたＭＰＥＧデータに対し、後述の如く付加データ等を付加して記録に適した形態に変換する記録処理部、１１２は各種のデータを記憶するためのメモリ、１１３は記録するデータに対してエラー訂正符号化処理を施すエラー訂正処理部、１１４はテープＴ上を磁気ヘッドで走査して多数のトラックを形成し、データを記録する記録部、１１５はデータバスである。
【００１５】
この様なＶＴＲにおいて、まず、カメラ記録モードについて説明する。
【００１６】
操作部１０９によりカメラ記録モードが設定されると、制御部１０８は、撮像部１０１及びマイク１０２を制御し、画像データと音声データを取得する。撮像部１０１により得られた動画像データとマイク１０２により得られた音声データはメモリ１１２に対し順次書き込まれる。符号化部１０３はメモリ１１２に記憶された動画像データと音声データを読み出してＭＰＥＧ２方式に従って符号化し、ＰＥＳ（Ｐａｃｋｅｔｉｚｅｄ  Ｅｌｅｍｅｎｔａｒｙ  Ｓｔｒｅａｍ）データを生成してメモリ１１２に書き込む。本実施形態では、１ＧＯＰを１５フレームで構成し、ＩピクチャとＰピクチャ、或いは、Ｐピクチャ間のＢピクチャを２フレームとする。
【００１７】
また、サーチデータ処理部１１０は符号化部１０３より出力されたＭＰＥＧデータ中、Ｉピクチャのデータを用いて高速再生用の画像データを生成し、メモリ１１２に書き込む。
【００１８】
記録処理部１１０はメモリ１１２に書き込まれたＰＥＳデータに対し、付加情報や同期、ＩＤ情報などを付加して記録に適した形態に変換し、メモリ１１２に書き込む。
【００１９】
記録処理部１１０により付加情報が付加されたＰＥＳデータの様子を図２に示す。
【００２０】
図２において、ＰＥＳ２００中、２０２は音声ＰＥＳ、２０４はビデオＰＥＳである。また、２０１は音声データの付加情報ＡＵＸＡ、２０３は動画像（ビデオ）データの付加情報ＡＵＸＶである。
【００２１】
本実施形態では、ＭＰＥＧデータ中、Ｉピクチャと二つのＢピクチャ、または、Ｐピクチャと二つのＢピクチャの３フレーム分のビデオＰＥＳデータ及び、この３フレームのビデオＰＥＳに対応する音声ＰＥＳデータ毎に、それぞれＡＵＸＶ２０３、ＡＵＸＡ２０１を付加しており、この３フレーム分のビデオＰＥＳ、音声ＰＥＳの集合をパックユニットと呼ぶ。本実施形態では、ＭＰＥＧデータ中、このパックユニットを単位として編集を行う。
【００２２】
エラー訂正処理部１１３は、メモリ１１２に書き込まれたＭＰＥＧデータ及びサーチ再生用データに対し、テープＴ上の１６トラック分の記録データを単位としてエラー訂正符号化処理を施し、再びメモリ１１２に書き込む。このエラー訂正符号化処理の単位となる１６トラック分のデータを、以下、ＥＣＣユニットと呼ぶ。
【００２３】
記録部１１４は、メモリ１１２よりエラー訂正符号化処理されたデータを読み出し、テープＴ上のトラックに記録する。
【００２４】
本実施形態では、テープＴに対し、ＥＣＣユニット、即ち１６トラックを単位として記録の開始、停止を制御する。
【００２５】
次に、外部機器より送信されたＭＰＥＧデータを受信して記録するダビングモードについて説明する。図７はダビングモード時の処理を示すフローチャートである。
【００２６】
操作部１０９によりダビングモードが設定されると、制御部１０８はＤＩＦ１０６を制御して、装置外部から送信されたＭＰＥＧ２−ＴＳ（Ｔｒａｎｓｐｏｒｔ  Ｓｔｒｅａｍ）データを受信する。ＤＩＦ１０６は、受信したＭＰＥＧ２−ＴＳデータをストリームバッファ１０５に出力する。ストリームバッファ１０５は、後述の如く、ＤＩＦ１０６からのＭＰＥＧ２−ＴＳデータが無入力となった場合に、これを検出し、無入力となる直前のＭＰＥＧデータに引き続いて不連続データを書き込むことができるよう、所定量（少なくとも、一つのパックユニット分のデータ）のＭＰＥＧ２−ＴＳデータを蓄積し、遅延させる。
【００２７】
変換処理部１０４は、ストリームバッファ１０５に記憶されたＭＰＥＧ２−ＴＳデータを読み出し、各種の付加情報などを除去して、ＰＥＳデータに変換し、メモリ１１２に書き込む。また、サーチデータ処理部１１０は、メモリ１１２に書き込まれたＰＥＳデータ中のＩピクチャのデータを用いてサーチ再生用の画像データを生成し、メモリ１１２に書き込む。
【００２８】
この状態で操作部１０９より記録開始の指示があると、まず、制御部１０８は、ストリーム不連続を示す所定のデータをメモリ１１２に書き込み、この不連続を示すデータに対してエラー訂正処理部１１３によりエラー訂正処理を施して、記録部１１４により、５ＥＣＣユニット分テープＴに記録する（ステップＳ７０１）。本実施形態では、後述の様に、ＥＣＣユニットの付加情報に対し、不連続データであることを示す情報を格納し、更に、その他の部分に対して無効（ＮＵＬＬ）データを挿入する。
【００２９】
その後、記録処理部１１１は、先ほどと同様、メモリ１１２に書き込まれたＰＥＳデータのうち、Ｉピクチャのデータを検出し、このＩピクチャに対応した音声ＰＥＳのデータから記録が開始できるよう、付加情報を付加してメモリ１１２に書き込む。エラー訂正処理部１１３は、メモリ１１２に書き込まれたＭＰＥＧデータ及びサーチ再生用の画像データに対しエラー訂正符号化処理を施し、記録部１１４によりテープＴに記録する（ステップＳ７０２）。また、記録停止の指示があると（ステップＳ７０３）、停止の指示の後最初のパックユニットのデータまでテープＴに記録して、記録を停止する（ステップＳ７０４）。
【００３０】
図３は、この様にストリーム不連続を示すデータに引き続いてＭＰＥＧデータを記録した場合のテープＴ上のデータの様子を示す図である。
【００３１】
図３に示す様に、まず、５ＥＣＣユニット分、ストリーム不連続を示すデータを記録し、引き続いて受信したＭＰＥＧデータを記録する。
【００３２】
図３において、３０１はＥＣＣユニットの先頭部分に記録されるＥＣＣユニット付加情報、３０２はストリーム不連続を示すサーチ再生用データ、３０３は無効データ、３０４は音声ＰＥＳの付加情報、３０５は音声ＰＥＳデータ、３０６はビデオＰＥＳの付加情報、３０７はビデオＰＥＳデータ、３０８はサーチ再生用の画像データである。
【００３３】
本実施形態では、サーチ再生時における磁気ヘッドの走査軌跡に対応した位置にサーチ再生用の画像データを配置している。
【００３４】
図４は、図３におけるＭＰＥＧストリームデータの記録領域における一つのＥＣＣユニットの状態を示す図である。
【００３５】
ＥＣＣユニットの付加情報３０１には、このＥＣＣユニット内の編集ポイント（パックユニットの先頭のＡＵＸＡデータ）の有無及び、編集ポイントのＥＣＣユニット内の記録位置（トラックナンバー及びシンクブロックナンバー）、編集ポイントから記録されているピクチャのＤＴＳ（Ｄｅｃｏｄｉｎｇ  Ｔｉｍｅ  Ｓｔａｍｐ）と、一つのピクチャのデータが復号時にバッファメモリ内にとどまる時間を示すＶＢＶ＿Ｄｅｌａｙ値が書き込まれている。
【００３６】
図５は、１トラックに記録されるデータの様子を示している。
【００３７】
１トラックのデータは１３８個のシンクブロックで構成される。各シンクブロックは、シンク、ＩＤ０、ＩＤ１、ＩＤ２、外符号パリティまたはデータ、内符号パリティで構成される。ＩＤ０〜ＩＤ２には、ＥＣＣユニット内のトラック位置を示すトラックペア番号、及び、シンクブロック番号を示すシンクブロック番号情報が含まれる。
【００３８】
図６は、図３におけるストリーム不連続を示すデータの記録領域における一つのＥＣＣユニットの状態を示す図である。
【００３９】
図６に示したように、ストリーム不連続のデータの記録領域においては、一つのＥＣＣユニットの先頭にＥＣＣユニットの付加情報３０１が記録され、それ以外は、不連続を示すサーチデータ３０２と、ブランク（ＮＵＬＬ）データ３０３が記録される。
【００４０】
また、ステップＳ７０３で記録停止の指示がない場合、制御部１０８は、ＤＩＦ１０６からのＭＰＥＧ２−ＴＳデータが無入力となっているか否かを検出し、ＭＰＥＧ２−ＴＳデータが入力されていた場合にはそのまま記録を継続する（ステップＳ７０５）。
【００４１】
一方、ＭＰＥＧ２−ＴＳデータが無入力となった場合、ステップＳ７０６に進み、無入力時の処理を実行する。
【００４２】
次に、ステップＳ７０６における、ＤＩＦ１０６からのＭＰＥＧ２−ＴＳデータの記録中、入力が途切れる無入力状態となった場合の処理を説明する。
【００４３】
図８は無入力時の処理を示すフローチャートである。
【００４４】
制御部１０８は、無入力を検出すると、無入力となる直前に入力されたパックユニットのデータを記録する（ステップＳ８０１）。このとき、メモリ１１２に対し、この直前のパックユニットを含むＥＣＣユニットのうち、ストリームデータ以外の部分に対してブランクデータを書き込む。
【００４５】
次に、制御部１０８は、この無入力直前のパックユニットを含むＥＣＣユニットのデータに引き続き、不連続を示すデータをメモリ１１２に書き込み、エラー訂正符号化処理を施してテープＴに記録する（ステップＳ８０２）。この際、５ＥＣＣユニット分の不連続データを記録する。
【００４６】
次に、ＤＩＦ１０６からのＭＰＥＧ２−ＴＳデータの入力が復帰したか否かを判別し（ステップＳ８０３）、入力が復帰していた場合、入力復帰後のＭＰＥＧ２−ＴＳデータから先頭のＩピクチャのデータを検出し、この先頭のＩピクチャのデータからＭＰＥＧストリームデータの記録を再開する（ステップＳ８０４）。なお、ＭＰＥＧ２−ＴＳデータの入力復帰後も、先頭のＩピクチャのデータからストリームデータの記録を再開するまでは、不連続を示すデータの記録を継続する。
【００４７】
また、ＭＰＥＧ２−ＴＳデータの入力が復帰するまでは、不連続を示すデータをそのまま記録する（ステップＳ８０５）。
【００４８】
図９は、この様にＭＰＥＧ２−ＴＳデータの入力が無入力となった場合のテープＴ上の記録データの様子を示す図である。
【００４９】
図９において、９０１は無入力となる前に記録されたＭＰＥＧストリームのデータであり、ＥＣＣユニット９０５には、無入力となる直前のパックユニットのデータが記録される。９０２はストリーム不連続を示すデータの記録部分であり、５ＥＣＣユニット分のデータが記録される。９０２における各ＥＣＣユニットのデータは、図６に示す通りである。９０３は無入力状態のデータが記録される記録領域である。９０３における各ＥＣＣユニットのデータは、図１０に示すように、先頭にＥＣＣユニットの付加情報３０１が記録され、他の部分には全てブランクデータが記録される。９０４はＭＰＥＧ２−ＴＳデータの入力復帰後のストリームデータの記録領域である。９０４におけるＥＣＣユニットのデータは、図３、図４に示す通りである。
【００５０】
この様に、本実施形態においては、外部から送信されたＭＰＥＧ２−ＴＳデータの記録中に、データの無入力状態となると、無入力状態となる直前のパックユニットに引き続いてストリーム不連続を示すデータを記録し、その後、ＭＰＥＧ２−ＴＳデータの入力が復帰すると、再びストリームデータを記録する。
【００５１】
そのため、再生時において、デコーダは、ストリーム不連続を示すデータに基づいて、これ以降、直前のＭＰＥＧデータとは不連続なＭＰＥＧデータが再生されることを事前に検出できるため、誤ったデコード処理を行って再生画像が乱れてしまうことがない。
【００５２】
次に、第２の実施形態について説明する。
【００５３】
本実施形態では、図７における無入力時の処理が第１の実施形態とは異なり、その他の構成は同じである。
【００５４】
図１１は第２の実施形態における無入力時の処理を示すフローチャートである。
【００５５】
制御部１０８は、無入力を検出すると、無入力となる直前に入力されたパックユニットのデータを記録する（ステップＳ１１０１）。このとき、メモリ１１２に対し、この直前のパックユニットを含むＥＣＣユニットのうち、ストリームデータ以外の部分に対してブランクデータを書き込む。
【００５６】
次に、制御部１０８は、この無入力直前のパックユニットを含むＥＣＣユニットのデータに引き続き、不連続を示すデータをメモリ１１２に書き込み、エラー訂正符号化処理を施してテープＴに記録する（ステップＳ１１０２）。この際、５ＥＣＣユニット分の不連続データを記録する。その後、テープＴの搬送を停止し、記録を一時停止する（ステップＳ１１０３）。
【００５７】
次に、ＤＩＦ１０６からのＭＰＥＧ２−ＴＳデータの入力が復帰したか否かを判別し（ステップＳ１１０４）、入力が復帰していた場合、入力復帰後のＭＰＥＧ２−ＴＳデータから先頭のＩピクチャのデータを検出し、テープＴの搬送を開始して先頭のＩピクチャのデータからＭＰＥＧストリームデータの記録を再開する（ステップＳ１１０５）。
【００５８】
図１２は、この様にＭＰＥＧ２−ＴＳデータの入力が無入力となった場合のテープＴ上の記録データの様子を示す図である。
【００５９】
図１２において、１２０１は無入力となる前に記録されたＭＰＥＧストリームのデータであり、ＥＣＣユニット１２０４には、無入力となる直前のパックユニットのデータが記録される。１２０２はストリーム不連続を示すデータの記録部分であり、５ＥＣＣユニット分のデータが記録される。１２０２における各ＥＣＣユニットのデータは、図６に示す通りである。１２０３はＭＰＥＧ２−ＴＳデータの入力復帰後のストリームデータの記録領域である。１２０３におけるＥＣＣユニットのデータは、図３、図４に示す通りである。
【００６０】
この様に、本実施形態においては、外部から送信されたＭＰＥＧ２−ＴＳデータの記録中に、データの無入力状態となると、無入力状態となる直前のパックユニットに引き続いてストリーム不連続を示すデータを記録し、その後、ＭＰＥＧ２−ＴＳデータの入力が復帰すると、再びストリームデータを記録する。
【００６１】
そのため、再生時において、デコーダは、ストリーム不連続を示すデータに基づいて、これ以降、直前のＭＰＥＧデータとは不連続なＭＰＥＧデータが再生されることを事前に検出できるため、誤ったデコード処理を行って再生画像が乱れてしまうことがない。
【００６２】
また、本実施形態では、ストリーム不連続を示すデータを記録した後、テープの搬送を停止して記録を一時停止するので、無意味なデータをテープに記録することが無く、無駄にテープを使うこともない。
【００６３】
次に、第３の実施形態について説明する。
【００６４】
本実施形態では、図７における無入力時の処理が第１の実施形態とは異なり、その他の構成は同じである。
【００６５】
図１３は第３の実施形態における無入力時の処理を示すフローチャートである。
【００６６】
制御部１０８は、無入力を検出すると、無入力となる直前に入力されたパックユニットのデータを記録する（ステップＳ１３０１）。このとき、メモリ１１２に対し、この直前のパックユニットを含むＥＣＣユニットのうち、ストリームデータ以外の部分に対してブランクデータを書き込む。
【００６７】
次に、制御部１０８は、この無入力直前のパックユニットを含むＥＣＣユニットのデータに引き続き、コピーピクチャのデータを１ＥＣＣユニット分メモリ１１２に書き込み、エラー訂正符号化処理を施してテープＴに記録する（ステップＳ１３０２）。コピーピクチャとは、ＭＰＥＧで規定されているデータであり、直前の画面と同じ画面を示すデータのことである。具体的には、参照画面のデータとの差分が０であることを示す所定の情報のみから構成されるため、そのデータ量は通常のＭＰＥＧデータに比べて非常に少ない。
【００６８】
次に、ＤＩＦ１０６からのＭＰＥＧ２−ＴＳデータの入力が復帰したか否かを判別し（ステップＳ１３０３）、入力が復帰していた場合、入力復帰後のＭＰＥＧ２−ＴＳデータから先頭のＩピクチャのデータを検出し、この先頭のＩピクチャのデータからＭＰＥＧストリームデータの記録を再開する（ステップＳ１３０４）。
【００６９】
このとき、復帰後のストリームの先頭のＩピクチャにおけるバッファモデルを満足するよう、ストリームデータの記録開始直前のコピーピクチャのＥＣＣユニットに対し、スタッフィングデータを適宜挿入して記録する。また、ＭＰＥＧ２−ＴＳデータの入力復帰後も、先頭のＩピクチャのデータからストリームデータの記録を再開するまでは、コピーピクチャデータの記録を継続する。
【００７０】
また、ＭＰＥＧ２−ＴＳデータの入力が復帰していない場合、コピーピクチャのデータを１ＥＣＣユニット記録する（ステップＳ１３０５）。
【００７１】
図１４は、この様にＭＰＥＧ２−ＴＳデータの入力が無入力となった場合のテープＴ上の記録データの様子を示す図である。
【００７２】
図１４において、１４０１は無入力となる前に記録されたＭＰＥＧストリームのデータであり、ＥＣＣユニット１４０４には、無入力となる直前のパックユニットのデータが記録される。１４０２はコピーピクチャデータの記録部分である。１４０２における各ＥＣＣユニットのデータは、図１５に示す通りである。図１５のＥＣＣユニットは、図４の構成とほぼ同じであるが、ビデオＰＥＳのデータがコピーピクチャのデータになっている点と、音声ＰＥＳのデータが無音を示す所定の情報になっている点が異なる。また、コピーピクチャのデータ量は通常のＭＰＥＧデータに比べてデータ量が少ないため、通常よりも多くのパックユニットのデータが１ＥＣＣユニットに格納されることになる。１２０３はＭＰＥＧ２−ＴＳデータの入力復帰後のストリームデータの記録領域である。１２０３におけるＥＣＣユニットのデータは、図３、図４に示す通りである。
【００７３】
この様に、本実施形態においては、外部から送信されたＭＰＥＧ２−ＴＳデータの記録中に、データの無入力状態となると、無入力状態となる直前のパックユニットに引き続いて、コピーピクチャのデータを記録し、その後、ＭＰＥＧ２−ＴＳデータの入力が復帰すると、再びストリームデータを記録する。
【００７４】
そのため、再生時において、無入力部分ではその直前の画像が継続して表示され、再生画像が乱れてしまうことがない。
【００７５】
次に、第４の実施形態について説明する。
【００７６】
本実施形態では、図７における無入力時の処理が第１の実施形態とは異なり、その他の構成は同じである。
【００７７】
図１６は第４の実施形態における無入力時の処理を示すフローチャートである。
【００７８】
制御部１０８は、無入力を検出すると、無入力となる直前に入力されたパックユニットのデータを記録する（ステップＳ１６０１）。このとき、メモリ１１２に対し、この直前のパックユニットを含むＥＣＣユニットのうち、ストリームデータ以外の部分に対してブランクデータを書き込む。その後、テープＴの搬送を停止し、記録を一時停止する（ステップＳ１６０２）。
【００７９】
次に、ＤＩＦ１０６からのＭＰＥＧ２−ＴＳデータの入力が復帰したか否かを判別し（ステップＳ１６０３）、入力が復帰していた場合、入力復帰後のＭＰＥＧ２−ＴＳデータから先頭のＩピクチャのデータを検出する。そして、この先頭のＩピクチャのＶＢＶディレイ情報に基づいて、バッファモデルを満足するよう、テープＴの搬送を開始してスタッフィングデータを記録し（ステップＳ１６０４）、続いて先頭のＩピクチャのデータからＭＰＥＧストリームデータの記録を再開する（ステップＳ１６０５）。
【００８０】
図１７は、この様にＭＰＥＧ２−ＴＳデータの入力が無入力となった場合のテープＴ上の記録データの様子を示す図である。
【００８１】
図１７において、１７０１は無入力となる前に記録されたＭＰＥＧストリームのデータである。１７０２はＭＰＥＧ２−ＴＳデータの入力復帰後のストリームデータの記録領域である。先頭のＥＣＣユニット１７０３には、バッファモデルを満足させるためのスタッフィングデータが記録される。１７０２におけるＥＣＣユニットのデータは、図３、図４に示す通りである。
【００８２】
この様に、本実施形態においては、外部から送信されたＭＰＥＧ２−ＴＳデータの記録中に、データの無入力状態となると、無入力状態となる直前のパックユニットを記録した後、記録を一時停止する。その後、ＭＰＥＧ２−ＴＳデータの入力が復帰すると、バッファモデルを満足するようスタッフィングデータを記録した後、再びストリームデータを記録する。
【００８３】
そのため、再生時において、デコーダは、誤ったデコード処理を行って再生画像が乱れてしまうことがない。
【００８４】
また、本実施形態では、テープの搬送を停止して記録を一時停止するので、無意味なデータをテープに記録することが無く、無駄にテープを使うこともない。
【図面の簡単な説明】
【００８５】
【図１】本発明の実施形態としてのＶＴＲの構成を示す図である。
【図２】ＭＰＥＧデータの様子を示す図である。
【図３】テープ上の記録フォーマットを示す図である。
【図４】ストリームデータの記録領域におけるＥＣＣユニットを示す図である。
【図５】１トラックの記録データを示す図である。
【図６】不連続データの記録領域におけるＥＣＣユニットを示す図である。
【図７】ダビングモード時の処理を示すフローチャートである。
【図８】無入力状態の処理を示すフローチャートである。
【図９】第１の実施形態によるテープ上の記録データの様子を示す図である。
【図１０】無入力データの記録領域におけるＥＣＣユニットを示す図である。
【図１１】第２の実施形態における無入力状態の処理を示すフローチャートである。
【図１２】第２の実施形態によるテープ上の記録データの様子を示す図である。
【図１３】第３の実施形態における無入力状態の処理を示すフローチャートである。
【図１４】第３の実施形態によるテープ上の記録データの様子を示す図である。
【図１５】コピーピクチャの記録領域におけるＥＣＣユニットを示す図である。
【図１６】第４の実施形態における無入力状態の処理を示すフローチャートである。
【図１７】第４の実施形態によるテープ上の記録データの様子を示す図である。
【図１】
2007026502.tif 000003
【図２】
2007026502.tif 000004
【図３】
2007026502.tif 000005
【図４】
2007026502.tif 000006
【図５】
2007026502.tif 000007
【図６】
2007026502.tif 000008
【図７】
2007026502.tif 000009
【図８】
2007026502.tif 000010
【図９】
2007026502.tif 000011
【図１０】
2007026502.tif 000012
【図１１】
2007026502.tif 000013
【図１２】
2007026502.tif 000014
【図１３】
2007026502.tif 000015
【図１４】
2007026502.tif 000016
【図１５】
2007026502.tif 000017
【図１６】
2007026502.tif 000018
【図１７】
2007026502.tif 000019